(57)【要約】【課題】ゲートウェイ装置ＨｅＮＢ-ＧＷが設けられている場合であっても、無線基地局ＨｅＮＢに対して「ＬＰＰａメッセージ」をルーティングする。【解決手段】本発明に係る移動通信方法は、位置情報提供サーバＥ-ＳＭＬＣが、移動管理ノードＭＭＥに対して、宛先情報として「ＨｅＮＢ＃１」及び「ＴＡＩ＃１」を含み且つ「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ」を送信する工程と、移動管理ノードＭＭＥが、「ＴＡＩ＃１」に対応するゲートウェイ装置ＨｅＮＢ-ＧＷ＃１に対して、宛先情報として「ＨｅＮＢ＃１」を含み且つ「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信する工程とを有する。【選択図】図３
2012044286.tif 000002
【特許請求の範囲】
【請求項１】
ゲートウェイ装置に収容されている無線基地局に対して位置サービス関連情報を提供する移動通信方法であって、
位置情報提供サーバが、移動管理ノードに対して、宛先情報として前記無線基地局の識別情報及び位置登録エリア情報を含み且つ前記位置サービス関連情報を含むコネクションレス情報を送信する工程と、
前記移動管理ノードが、前記位置登録エリア情報に対応する前記ゲートウェイ装置に対して、宛先情報として前記無線基地局の識別情報を含み且つ前記位置サービス関連情報を含む転送情報を送信する工程とを有することを特徴とする移動通信方法。
【請求項２】
ゲートウェイ装置に収容されている無線基地局に対して位置サービス関連情報を提供する移動通信方法であって、
位置情報提供サーバが、移動管理ノードに対して、宛先情報として前記無線基地局の識別情報を含み且つ前記位置サービス関連情報を含むコネクションレス情報を送信する工程と、
前記移動管理ノードが、前記無線基地局の識別情報に対応する位置登録エリア情報を取得し、該位置登録エリアに対応する前記ゲートウェイ装置に対して、宛先情報として該無線基地局の識別情報を含み且つ前記位置サービス関連情報を含む転送情報を送信する工程とを有することを特徴とする移動通信方法。
【請求項３】
前記無線基地局と前記ゲートウェイ装置との間のコネクション設定時に、該ゲートウェイ装置が、前記位置登録エリア情報を取得する工程と、
前記移動管理ノードが、前記ゲートウェイ装置から、前記位置登録エリア情報を取得し、該位置登録エリア情報と該ゲートウェイ装置とを対応付ける工程とを有することを特徴とする請求項１又は２に記載の移動通信方法。
【請求項４】
ゲートウェイ装置に収容されている無線基地局に対して位置サービス関連情報を提供するように構成されている移動通信システムで用いられる移動管理ノードであって、
位置情報提供サーバから、宛先情報として前記無線基地局の識別情報及び位置登録エリア情報を含み且つ前記位置サービス関連情報を含むコネクションレス情報を受信するように構成されている受信部と、
前記位置登録エリア情報に対応する前記ゲートウェイ装置に対して、宛先情報として前記無線基地局の識別情報を含み且つ前記位置サービス関連情報を含む転送情報を送信するように構成されている送信部とを具備することを特徴とする移動管理ノード。
【請求項５】
ゲートウェイ装置に収容されている無線基地局に対して位置サービス関連情報を提供するように構成されている移動通信システムで用いられる移動管理ノードであって、
位置情報提供サーバから、宛先情報として前記無線基地局の識別情報を含み且つ前記位置サービス関連情報を含むコネクションレス情報を受信するように構成されている受信部と、
前記無線基地局の識別情報に対応する位置登録エリア情報を取得し、該位置登録エリアに対応する前記ゲートウェイ装置に対して、宛先情報として該無線基地局の識別情報を含み且つ前記位置サービス関連情報を含む転送情報を送信するように構成されている送信部とを具備することを特徴とする移動管理ノード。
【請求項６】
前記受信部は、前記ゲートウェイ装置から、前記位置登録エリア情報を取得するように構成されており、
取得した前記位置登録エリア情報と該ゲートウェイ装置とを対応付けて管理するように構成されている管理部を更に具備することを特徴とする請求項４又は５に記載の移動管理ノード。
【発明の詳細な説明】
【技術分野】
【０００１】
本発明は、移動通信方法及び移動管理ノードに関する。
【背景技術】
【０００２】
ＬＴＥ（Ｌｏｎｇ  Ｔｅｒｍ  Ｅｖｏｌｕｔｉｏｎ）方式では、位置サービス（ＬＣＳ：ＬｏＣａｔｉｏｎ  Ｓｅｒｖｉｃｅ）関連情報である「ＬＰＰａ（ＬＴＥ  Ｐｏｓｉｔｉｏｎｉｎｇ  Ｐｒｏｔｏｃｏｌ  Ａｎｎｅｘ）メッセージ」が、位置情報提供サーバＥ-ＳＭＬＣ（Ｅｖｏｌｃｅｄ  Ｓｅｒｖｉｎｇ  Ｍｏｂｌｉｅ  Ｌｏｃａｔｉｏｎ  Ｃｅｎｔｒｅ）から、無線基地局ｅＮＢに対して、ＬＣＳ-ＡＰ及びＳ１-ＡＰを介して転送されるように構成されている。
【０００３】
具体的には、「ＬＰＰａメッセージ」は、「（ＬＣＳ-ＡＰ）Ｃｏｎｎｅｃｔｉｏｎｌｅｓｓ  Ｉｎｆｏｒｍａｔｉｏｎ」及び「（Ｓ１-ＡＰ）ＵＬ/ＤＬ  Ｎｏｎ  ＵＥ  Ａｓｓｏｃｉａｔｅｄ  ＬＰＰａ  Ｔｒａｎｓｐｏｒｔ」によって転送されるように構成されている。
【０００４】
或いは、「ＬＰＰａメッセージ」は、「（ＬＣＳ-ＡＰ）Ｃｏｎｎｅｃｔｉｏｎ  Ｏｒｉｅｎｔｅｄ  Ｉｎｆｏｒｍａｔｉｏｎ」及び「（Ｓ１-ＡＰ）ＵＬ/ＤＬ  Ｎｏｎ  ＵＥ  Ａｓｓｏｃｉａｔｅｄ  ＬＰＰａ  Ｔｒａｎｓｐｏｒｔ」によって転送されるように構成されている。
【先行技術文献】
【非特許文献】
【０００５】
【非特許文献１】３ＧＰＰ  ＴＳ３６.３００
【非特許文献２】３ＧＰＰ  ＴＳ３６.４１３
【発明の概要】
【発明が解決しようとする課題】
【０００６】
しかしながら、ＬＴＥ方式において、ゲートウェイ装置ＨｅＮＢ-ＧＷが設けられている場合には、位置情報提供サーバＥ-ＳＭＬＣは、移動管理ノードＭＭＥ（Ｍｏｂｉｌｉｔｙ  Ｍａｎａｇｅｍｅｎｔ  Ｅｎｔｉｔｙ）に対して送信する「（ＬＣＳ-ＡＰ）Ｃｏｎｎｅｃｔｉｏｎｌｅｓｓ  Ｉｎｆｏｒｍａｔｉｏｎ」において、宛先情報として「ｅＮＢ-ＩＤ」しか指定できず、移動管理ノードＭＭＥは、ゲートウェイ装置ＨｅＮＢ-ＧＷに収容されている無線基地局ＨｅＮＢの識別情報を管理することができないため、移動管理ノードＭＭＥは、ゲートウェイ装置ＨｅＮＢ-ＧＷに収容されている無線基地局ＨｅＮＢに対して「ＬＰＰａメッセージ」をルーティングすることができないという問題点があった。
【０００７】
そこで、本発明は、上述の課題に鑑みてなされたものであり、ゲートウェイ装置ＨｅＮＢ-ＧＷが設けられている場合であっても、無線基地局ＨｅＮＢに対して「ＬＰＰａメッセージ」をルーティングすることができる移動通信方法及び移動管理ノードを提供することを目的とする。
【課題を解決するための手段】
【０００８】
本発明の第１の特徴は、ゲートウェイ装置に収容されている無線基地局に対して位置サービス関連情報を提供する移動通信方法であって、位置情報提供サーバが、移動管理ノードに対して、宛先情報として前記無線基地局の識別情報及び位置登録エリア情報を含み且つ前記位置サービス関連情報を含むコネクションレス情報を送信する工程と、前記移動管理ノードが、前記位置登録エリア情報に対応する前記ゲートウェイ装置に対して、宛先情報として前記無線基地局の識別情報を含み且つ前記位置サービス関連情報を含む転送情報を送信する工程とを有することを要旨とする。
【０００９】
本発明の第２の特徴は、ゲートウェイ装置に収容されている無線基地局に対して位置サービス関連情報を提供する移動通信方法であって、位置情報提供サーバが、移動管理ノードに対して、宛先情報として前記無線基地局の識別情報を含み且つ前記位置サービス関連情報を含むコネクションレス情報を送信する工程と、前記移動管理ノードが、前記無線基地局の識別情報に対応する位置登録エリア情報を取得し、該位置登録エリアに対応する前記ゲートウェイ装置に対して、宛先情報として該無線基地局の識別情報を含み且つ前記位置サービス関連情報を含む転送情報を送信する工程とを有することを要旨とする。
【００１０】
本発明の第３の特徴は、ゲートウェイ装置に収容されている無線基地局に対して位置サービス関連情報を提供するように構成されている移動通信システムで用いられる移動管理ノードであって、位置情報提供サーバから、宛先情報として前記無線基地局の識別情報及び位置登録エリア情報を含み且つ前記位置サービス関連情報を含むコネクションレス情報を受信するように構成されている受信部と、前記位置登録エリア情報に対応する前記ゲートウェイ装置に対して、宛先情報として前記無線基地局の識別情報を含み且つ前記位置サービス関連情報を含む転送情報を送信するように構成されている送信部とを具備することを要旨とする。
【００１１】
本発明の第４の特徴は、ゲートウェイ装置に収容されている無線基地局に対して位置サービス関連情報を提供するように構成されている移動通信システムで用いられる移動管理ノードであって、位置情報提供サーバから、宛先情報として前記無線基地局の識別情報を含み且つ前記位置サービス関連情報を含むコネクションレス情報を受信するように構成されている受信部と、前記無線基地局の識別情報に対応する位置登録エリア情報を取得し、該位置登録エリアに対応する前記ゲートウェイ装置に対して、宛先情報として該無線基地局の識別情報を含み且つ前記位置サービス関連情報を含む転送情報を送信するように構成されている送信部とを具備することを要旨とする。
【発明の効果】
【００１２】
以上説明したように、本発明によれば、ゲートウェイ装置ＨｅＮＢ-ＧＷが設けられている場合であっても、無線基地局ＨｅＮＢに対して「ＬＰＰａメッセージ」をルーティングすることができる移動通信方法及び移動管理ノードを提供することができる。
【図面の簡単な説明】
【００１３】
【図１】本発明の第１の実施形態に係る移動通信システムの全体構成図である。
【図２】本発明の第１の実施形態に係る移動管理ノードＭＭＥの機能ブロック図である。
【図３】本発明の第１の実施形態に係る移動通信システムの動作を示すシーケンス図である。
【図４】本発明の第１の実施形態に係る移動通信システムで用いられる「ＬＣＳ-ＡＰ  Ｃｏｎｎｅｃｔｉｏｎｌｅｓｓ  Ｉｎｆｏｒｍａｔｉｏｎ」のフォーマットの一例を示す図である。
【図５】本発明の第１の実施形態に係る移動通信システムで用いられる「（ＬＣＳ-ＡＰ）  Ｃｏｎｎｅｃｔｉｏｎｌｅｓｓ  Ｉｎｆｏｒｍａｔｉｏｎ」内の情報要素「Ｄｅｓｉｔｉｎａｔｉｏｎ  Ｉｄｅｎｔｉｔｙ」に設定される「Ｎｅｔｗｏｒｋ  Ｅｌｅｍｅｎｔ」のフォーマットの一例を示す図である。
【図６】本発明の第１の実施形態に係る移動通信システムで用いられる「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」のフォーマットの一例を示す図である。
【図７】本発明の変更例１に係る移動管理ノードＭＭＥの管理部によって管理される対応表の一例を示す図である。
【図８】本発明の変更例１に係る移動通信システムの動作を示すシーケンス図である。
【発明を実施するための形態】
【００１４】
（本発明の第１の実施形態に係る移動通信システム）
図１乃至図６を参照して、本発明の第１の実施形態に係る移動通信システムについて説明する。
【００１５】
図１に示すように、本実施形態に係る移動通信システムは、位置情報提供サーバＥ-ＳＭＬＣと、移動管理ノードＭＭＥと、ゲートウェイ装置ＨｅＮＢ-ＧＷ＃１と、無線基地局ＨｅＮＢ＃１/ＨｅＮＢ＃５等と、無線基地局ＨｅＮＢ＃１０と、無線基地局ｅＮＢ＃１００とを具備している。
【００１６】
無線基地局ＨｅＮＢ＃１は、ゲートウェイ装置ＨｅＮＢ-ＧＷ＃１に収容されており、ホームセル＃１を管理するように構成されている。ここで、無線基地局ＨｅＮＢ＃１の「ｅＮＢ-ＩＤ（識別情報）」は、「ＨｅＮＢ＃１」であり、無線基地局ＨｅＮＢ＃１の「ＴＡＩ（Ｔｒａｃｋｉｎｇ  Ａｒｅａ  Ｉｄｅｎｔｉｔｙ：位置登録エリア情報）」は、「ＴＡＩ＃１」である。
【００１７】
同様に、無線基地局ＨｅＮＢ＃５は、ゲートウェイ装置ＨｅＮＢ-ＧＷ＃１に収容されており、ホームセル＃５を管理するように構成されている。ここで、無線基地局ＨｅＮＢ＃５の「ｅＮＢ-ＩＤ」は、「ＨｅＮＢ＃５」であり、無線基地局ＨｅＮＢ＃５の「ＴＡＩ」は、「ＴＡＩ＃５」である。
【００１８】
なお、ゲートウェイ装置ＨｅＮＢ-ＧＷ＃１には、同一の「ＴＡＩ」の複数の無線基地局ＨｅＮＢが収容されていてもよいし、異なる「ＴＡＩ」の複数の無線基地局ＨｅＮＢが収容されていてもよい。
【００１９】
無線基地局ＨｅＮＢ＃１０は、ゲートウェイ装置ＨｅＮＢ-ＧＷ＃１を介することなく、移動管理ノードＭＭＥに収容されており、ホームセル＃１０を管理するように構成されている。ここで、無線基地局ＨｅＮＢ＃１０の「ｅＮＢ-ＩＤ」は、「ＨｅＮＢ＃１０」であり、無線基地局ＨｅＮＢ＃１０の「ＴＡＩ」は、「ＴＡＩ＃１０」である。
【００２０】
無線基地局ｅＮＢ＃１００は、移動管理ノードＭＭＥに収容されており、マクロセル＃１００を管理するように構成されている。ここで、無線基地局ｅＮＢ＃１００の「ｅＮＢ-ＩＤ」は、「ｅＮＢ＃１００」であり、無線基地局ｅＮＢ＃１００の「ＴＡＩ」は、「ＴＡＩ＃１００」である。
【００２１】
図２に示すように、移動管理ノードＭＭＥは、受信部１１と、管理部１２と、送信部１３とを具備している。
【００２２】
受信部１１は、位置情報提供サーバＥ-ＳＭＬＣから、「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ」或いは「（ＬＣＳ-ＡＰ）Ｃｏｎｎｅｃｔｉｏｎ  Ｏｒｉｅｎｔｅｄ  Ｉｎｆｏｒｍａｔｉｏｎ」を受信するように構成されている。
【００２３】
例えば、かかる「（ＬＣＳ-ＡＰ）Ｃｏｎｎｅｃｔｉｏｎｌｅｓｓ  Ｉｎｆｏｒｍａｔｉｏｎ」には、発信元情報として、位置情報提供サーバＥ-ＳＭＬＣの識別情報である「Ｅ-ＳＭＬＣ-ＩＤ」が含まれており、宛先情報として、無線基地局ＨｅＮＢ＃１の「ｅＮＢ-ＩＤ（識別情報）」である「ＨｅＮＢ＃１」及び無線基地局ＨｅＮＢ＃１の「ＴＡＩ」である「ＴＡＩ＃１」が含まれている。
【００２４】
また、受信部１１は、ゲートウェイ装置ＨｅＮＢ-ＧＷ＃１から、ゲートウェイ装置ＨｅＮＢ-ＧＷ＃１に収容されている無線基地局ＨｅＮＢ＃１及びＨｅＮＢ＃５の「ＴＡＩ」である「ＴＡＩ＃１」及び「ＴＡＩ＃５」を取得するように構成されている。
【００２５】
例えば、受信部１１は、移動管理ノードＭＭＥとゲートウェイ装置ＨｅＮＢ-ＧＷ＃１との間のＳ１コネクションの設定時に、かかる「ＴＡＩ＃１」及び「ＴＡＩ＃５」を取得するように構成されていてもよい。
【００２６】
或いは、受信部１１は、ゲートウェイ装置ＨｅＮＢ-ＧＷ＃１から、「ｅＮＢ  Ｃｏｎｆｉｇｕｒａｔｉｏｎ  Ｕｐｄａｔｅ」を介して、かかる「ＴＡＩ＃１」及び「ＴＡＩ＃５」を取得するように構成されていてもよい。
【００２７】
同様に、受信部１１は、無線基地局ＨｅＮＢ＃１０及びｅＮＢ＃１００から、無線基地局ＨｅＮＢ＃１０及びｅＮＢ＃１００の「ＴＡＩ」である「ＴＡＩ＃１０」及び「ＴＡＩ＃１００」を取得するように構成されている。
【００２８】
管理部１２は、「ＴＡＩ」と「ｅＮＢ-ＩＤ」とを対応付けて管理するように構成されている。
【００２９】
図２の例では、管理部１２は、無線基地局ＨｅＮＢ＃１の「ＴＡＩ」である「ＴＡＩ＃１」と、ゲートウェイ装置ＨｅＮＢ-ＧＷ＃１の「ｅＮＢ-ＩＤ」である「ＨｅＮＢ-ＧＷ＃１」とを対応付けて管理している。
【００３０】
また、管理部１２は、無線基地局ＨｅＮＢ＃５の「ＴＡＩ」である「ＴＡＩ＃５」と、ゲートウェイ装置ＨｅＮＢ-ＧＷ＃１の「ｅＮＢ-ＩＤ」である「ＨｅＮＢ-ＧＷ＃１」とを対応付けて管理している。
【００３１】
また、管理部１２は、無線基地局ＨｅＮＢ＃１０の「ＴＡＩ」である「ＴＡＩ＃１０」と、無線基地局ＨｅＮＢ＃１０の「ｅＮＢ-ＩＤ」である「ＨｅＮＢ＃１０」とを対応付けて管理している。
【００３２】
さらに、管理部１２は、無線基地局ｅＮＢ＃１００の「ＴＡＩ」である「ＴＡＩ＃１００」と、無線基地局ｅＮＢ＃１００の「ｅＮＢ-ＩＤ」である「ｅＮＢ＃１００」とを対応付けて管理している。
【００３３】
ここで、管理部１２は、Ｓ１コネクションの設定時に、ゲートウェイ装置ＨｅＮＢ-ＧＷ＃１や無線基地局ＨｅＮＢ＃１０や無線基地局ｅＮＢ＃１００等から取得した「ＴＡＩ」と、ゲートウェイ装置ＨｅＮＢ-ＧＷ＃１や無線基地局ＨｅＮＢ＃１０や無線基地局ｅＮＢ＃１００等の「ｅＮＢ-ＩＤ」とを対応付けるように構成されていてもよい。
【００３４】
或いは、管理部１２は、「ｅＮＢ  Ｃｏｎｆｉｇｕｒａｔｉｏｎ  Ｕｐｄａｔｅ」を介してゲートウェイ装置ＨｅＮＢ-ＧＷ＃１や無線基地局ＨｅＮＢ＃１０や無線基地局ｅＮＢ＃１００等から取得した「ＴＡＩ」と、ゲートウェイ装置ＨｅＮＢ-ＧＷ＃１や無線基地局ＨｅＮＢ＃１０や無線基地局ｅＮＢ＃１００等の「ｅＮＢ-ＩＤ」とを対応付けるように構成されていてもよい。
【００３５】
送信部１３は、ゲートウェイ装置ＨｅＮＢ-ＧＷ＃１や無線基地局ＨｅＮＢ＃１０や無線基地局ｅＮＢ＃１００等に対して、「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信するように構成されている。
【００３６】
例えば、ゲートウェイ装置ＨｅＮＢ-ＧＷ＃１に対して送信される「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」には、発信元情報として、位置情報提供サーバＥ-ＳＭＬＣの識別情報である「Ｅ-ＳＭＬＣ-ＩＤ」が含まれており、宛先情報として、無線基地局ＨｅＮＢ＃１の「ｅＮＢ-ＩＤ」である「ＨｅＮＢ＃１」が含まれている。
【００３７】
以下、図３乃至図６を参照して、本実施形態に係る移動通信システムの動作について説明する。
【００３８】
図３に示すように、ステップＳ１００１Ａにおいて、無線基地局ＨｅＮＢ＃１とゲートウェイ装置ＨｅＮＢ-ＧＷ＃１との間で、Ｓ１コネクションの設定処理（Ｓ１  Ｓｅｔｕｐ  Ｐｒｏｃｅｄｕｒｅ）が行われる。
【００３９】
ここで、ゲートウェイ装置ＨｅＮＢ-ＧＷ＃１は、無線基地局ＨｅＮＢ＃１の「ｅＮＢ-ＩＤ」である「ＨｅＮＢ＃１」及び無線基地局ＨｅＮＢ＃１の「ＴＡＩ」である「ＴＡＩ＃１」を取得する。
【００４０】
同様に、ステップＳ１００１Ｂにおいて、ゲートウェイ装置ＨｅＮＢ-ＧＷ＃１と移動管理ノードＭＭＥとの間で、Ｓ１コネクションの設定処理（Ｓ１  Ｓｅｔｕｐ  Ｐｒｏｃｅｄｕｒｅ）が行われる。
【００４１】
ここで、移動管理ノードＭＭＥは、ゲートウェイ装置ＨｅＮＢ-ＧＷ＃１の「ｅＮＢ-ＩＤ」である「ＨｅＮＢ-ＧＷ＃１」及び「ＴＡＩ＃１」を取得し、「ＨｅＮＢ-ＧＷ＃１」と「ＴＡＩ＃１」とを対応付けて管理する。
【００４２】
ステップＳ１００２において、位置情報提供サーバＥ-ＳＭＬＣは、移動管理ノードＭＭＥに対して、無線基地局ＨｅＮＢ＃１宛ての「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ」を送信する。
【００４３】
ここで、位置情報提供サーバＥ-ＳＭＬＣは、「（ＬＣＳ-ＡＰ）Ｃｏｎｎｅｃｔｉｏｎｌｅｓｓ  Ｉｎｆｏｒｍａｔｉｏｎ」に、発信元情報として、位置情報提供サーバＥ-ＳＭＬＣの識別情報である「Ｅ-ＳＭＬＣ-ＩＤ」を設定し、宛先情報として、無線基地局ＨｅＮＢ＃１の「ｅＮＢ-ＩＤ」である「ＨｅＮＢ＃１」及び無線基地局ＨｅＮＢ＃１の「ＴＡＩ」である「ＴＡＩ＃１」を設定する。
【００４４】
例えば、図４及び図５に示すように、３ＧＰＰのＴＳ２９.１７１に規定されている「（ＬＣＳ-ＡＰ）Ｃｏｎｎｅｃｔｉｏｎｌｅｓｓ  Ｉｎｆｏｒｍａｔｉｏｎ」内の情報要素「Ｄｅｓｔｉｎａｔｉｏｎ  Ｉｄｅｎｔｉｔｙ」に設定される「Ｎｅｔｗｏｒｋ  Ｅｌｅｍｅｎｔ」を拡張して、かかる無線基地局ＨｅＮＢ＃１の「ＴＡＩ」である「ＴＡＩ＃１」を設定してもよい。
【００４５】
移動管理ノードＭＭＥは、ステップＳ１００３において、「（ＬＣＳ-ＡＰ）Ｃｏｎｎｅｃｔｉｏｎｌｅｓｓ  Ｉｎｆｏｒｍａｔｉｏｎ」に宛先情報として含まれている「ＴＡＩ＃１」に対応するゲートウェイ装置ＨｅＮＢ-ＧＷ＃１を選択し、ステップＳ１００４において、ゲートウェイ装置ＨｅＮＢ-ＧＷ＃１に対して、無線基地局ＨｅＮＢ＃１宛ての「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信する。
【００４６】
ここで、移動管理ノードＭＭＥは、「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」に、発信元情報として、位置情報提供サーバＥ-ＳＭＬＣの識別情報である「Ｅ-ＳＭＬＣ-ＩＤ」を設定し、宛先情報として、無線基地局ＨｅＮＢ＃１の「ｅＮＢ-ＩＤ」である「ＨｅＮＢ＃１」を設定する。
【００４７】
例えば、図６に示すように、３ＧＰＰのＴＳ３６.４１３に規定されている「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を拡張して、かかる無線基地局ＨｅＮＢ＃１の「ｅＮＢ-ＩＤ」である「ＨｅＮＢ＃１」を設定してもよい。
【００４８】
ステップＳ１００５において、ゲートウェイ装置ＨｅＮＢ-ＧＷ＃１は、「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」に宛先情報として含まれている「ＨｅＮＢ＃１」に対応する無線基地局ＨｅＮＢ＃１に対して、上述の「ＬＰＰａメッセージ」を送信する。
【００４９】
本実施形態に係る移動通信システムによれば、移動管理ノードＭＭＥは、「（ＬＣＳ-ＡＰ）Ｃｏｎｎｅｃｔｉｏｎｌｅｓｓ  Ｉｎｆｏｒｍａｔｉｏｎ」に宛先情報として含まれる無線基地局ＨｅＮＢ＃１の「ＴＡＩ」に基づいて、ゲートウェイ装置ＨｅＮＢ-ＧＷに対して「ＬＰＰａメッセージ」を転送し、ゲートウェイ装置ＨｅＮＢ-ＧＷは、「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」に宛先情報として含まれる無線基地局ＨｅＮＢ＃１の「ｅＮＢ-ＩＤ」に基づいて、無線基地局ＨｅＮＢ＃１に対して「ＬＰＰａメッセージ」を転送することができるため、ゲートウェイ装置ＨｅＮＢ-ＧＷが設けられている場合であっても、無線基地局ＨｅＮＢに対して「ＬＰＰａメッセージ」をルーティングすることができる。
【００５０】
（変更例１）
以下、図６乃至図８を参照して、変更例１に係る移動通信システムについて、上述の第１の実施形態に係る移動通信システムとの相違点に着目して説明する。
【００５１】
図７に示すように、変更例１に係る移動通信システムでは、移動管理ノードＭＭＥの管理部１２は、更に、ゲートウェイ装置ＨｅＮＢ-ＧＷ＃１に収容されている複数の無線基地局ＨｅＮＢの「ｅＮＢ-ＩＤ」と、かかる複数の無線基地局ＨｅＮＢの「ＴＡＩ」とを対応付けて管理するように構成されている。
【００５２】
なお、管理部１２は、Ｏ＆Ｍ（Ｏｐｅｒａｔｉｏｎ  ＆  Ｍａｉｎｔｅｎａｎｃｅ）サーバ装置からの指示に応じて、かかる「ｅＮＢ-ＩＤ」と「ＴＡＩ」とを対応付けて管理するように構成されていてもよい。
【００５３】
また、移動管理ノードＭＭＥの送信部１３は、管理部１２を参照して、受信部１１によって受信された「（ＬＣＳ-ＡＰ）Ｃｏｎｎｅｃｔｉｏｎｌｅｓｓ  Ｉｎｆｏｒｍａｔｉｏｎ」に含まれる無線基地局ＨｅＮＢ＃１の「ｅＮＢ-ＩＤ」である「ＨｅＮＢ＃１」に対応する「ＴＡＩ＃１」を取得し、「ＴＡＩ＃１」に対応するゲートウェイ装置ＨｅＮＢ-ＧＷ＃１に対して、宛先情報として「ＨｅＮＢ＃１」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信するように構成されている。
【００５４】
以下、図８を参照して、本変更例１に係る移動通信システムの動作について説明する。
【００５５】
図３に示すように、ステップＳ２００１Ａ及びステップＳ２００１Ｂの動作は、図３に示すステップＳ１００１Ａ及びステップＳ１００１Ｂの動作と同一である。
【００５６】
ステップＳ２００２において、位置情報提供サーバＥ-ＳＭＬＣは、移動管理ノードＭＭＥに対して、無線基地局ＨｅＮＢ＃１宛ての「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ」を送信する。
【００５７】
ここで、位置情報提供サーバＥ-ＳＭＬＣは、「（ＬＣＳ-ＡＰ）Ｃｏｎｎｅｃｔｉｏｎｌｅｓｓ  Ｉｎｆｏｒｍａｔｉｏｎ」に、発信元情報として、位置情報提供サーバＥ-ＳＭＬＣの識別情報である「Ｅ-ＳＭＬＣ-ＩＤ」を設定し、宛先情報として、無線基地局ＨｅＮＢ＃１の「ｅＮＢ-ＩＤ」である「ＨｅＮＢ＃１」を設定する。
【００５８】
移動管理ノードＭＭＥは、ステップＳ２００３において、「（ＬＣＳ-ＡＰ）Ｃｏｎｎｅｃｔｉｏｎｌｅｓｓ  Ｉｎｆｏｒｍａｔｉｏｎ」に宛先情報として含まれている「ＨｅＮＢ＃１」に対応する「ＴＡＩ＃１」を取得し、かかる「ＴＡＩ＃１」に対応するゲートウェイ装置ＨｅＮＢ-ＧＷ＃１を選択し、ステップＳ２００４において、ゲートウェイ装置ＨｅＮＢ-ＧＷ＃１に対して、無線基地局ＨｅＮＢ＃１宛ての「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信する。
【００５９】
例えば、図６に示すように、３ＧＰＰのＴＳ３６.４１３に規定されている「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を拡張して、かかる無線基地局ＨｅＮＢ＃１の「ｅＮＢ-ＩＤ」である「ＨｅＮＢ＃１」を設定してもよい。
【００６０】
ステップＳ２００５において、ゲートウェイ装置ＨｅＮＢ-ＧＷ＃１は、「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」に宛先情報として含まれている「ＨｅＮＢ＃１」に対応する無線基地局ＨｅＮＢ＃１に対して、上述の「ＬＰＰａメッセージ」を送信する。
【００６１】
本変更例１に係る移動通信システムによれば、移動管理ノードＭＭＥは、「（ＬＣＳ-ＡＰ）Ｃｏｎｎｅｃｔｉｏｎｌｅｓｓ  Ｉｎｆｏｒｍａｔｉｏｎ」に宛先情報として含まれる無線基地局ＨｅＮＢ＃１の「ｅＮＢ-ＩＤ」に対応する「ＴＡＩ」を取得し、かかる「ＴＡＩ」に基づいて、ゲートウェイ装置ＨｅＮＢ-ＧＷに対して「ＬＰＰａメッセージ」を転送し、ゲートウェイ装置ＨｅＮＢ-ＧＷは、「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」に宛先情報として含まれる無線基地局ＨｅＮＢ＃１の「ｅＮＢ-ＩＤ」に基づいて、無線基地局ＨｅＮＢ＃１に対して「ＬＰＰａメッセージ」を転送することができるため、ゲートウェイ装置ＨｅＮＢ-ＧＷが設けられている場合であっても、無線基地局ＨｅＮＢに対して「ＬＰＰａメッセージ」をルーティングすることができる。
【００６２】
以上に述べた本実施形態の特徴は、以下のように表現されていてもよい。
【００６３】
本実施形態の第１の特徴は、ゲートウェイ装置ＨｅＮＢ-ＧＷ＃１に収容されている無線基地局ＨｅＮＢ＃１に対して「ＬＰＰａメッセージ（位置サービス関連情報）」を提供する移動通信方法であって、位置情報提供サーバＥ-ＳＭＬＣが、移動管理ノードＭＭＥに対して、宛先情報として無線基地局ＨｅＮＢ＃１の「ｅＮＢ-ＩＤ（識別情報）：ＨｅＮＢ＃１」及び「ＴＡＩ（位置登録エリア情報）：ＴＡＩ＃１」を含み且つ「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ（コネクションレス情報）」を送信する工程と、移動管理ノードＭＭＥが、「ＴＡＩ＃１」に対応するゲートウェイ装置ＨｅＮＢ-ＧＷ＃１に対して、宛先情報として「ＨｅＮＢ＃１」を含み且つ「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ（転送情報）」を送信する工程とを有することを要旨とする。
【００６４】
本実施形態の第２の特徴は、ゲートウェイ装置ＨｅＮＢ-ＧＷ＃１に収容されている無線基地局ＨｅＮＢ＃１に対して「ＬＰＰａメッセージ」を提供する移動通信方法であって、位置情報提供サーバＥ-ＳＭＬＣが、移動管理ノードＭＭＥに対して、宛先情報として「ＨｅＮＢ＃１」を含み且つ「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ」を送信する工程と、移動管理ノードＭＭＥが、「ＨｅＮＢ＃１」に対応する「ＴＡＩ＃１」を取得し、「ＴＡＩ＃１」に対応するゲートウェイ装置ＨｅＮＢ-ＧＷ＃１に対して、宛先情報として「ＨｅＮＢ＃１」を含み且つ「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信する工程とを有することを要旨とする。
【００６５】
本実施形態の第１及び第２の特徴において、無線基地局ＨｅＮＢ＃１とゲートウェイ装置ＨｅＮＢ-ＧＷ＃１との間のＳ１コネクション設定時に、ゲートウェイ装置ＨｅＮＢ-ＧＷ＃１が、「ＴＡＩ＃１」を取得する工程と、移動管理ノードＭＭＥが、ゲートウェイ装置ＨｅＮＢ-ＧＷ＃１から、「ＴＡＩ＃１」を取得し、「ＴＡＩ＃１」とゲートウェイ装置ＨｅＮＢ-ＧＷ＃１とを対応付ける工程とを有してもよい。
【００６６】
本実施形態の第３の特徴は、ゲートウェイ装置ＨｅＮＢ-ＧＷ＃１に収容されている無線基地局ＨｅＮＢ＃１に対して「ＬＰＰａメッセージ」を提供するように構成されている移動通信システムで用いられる移動管理ノードＭＭＥであって、位置情報提供サーバＥ-ＳＭＬＣから、宛先情報として「ＨｅＮＢ＃１」及び「ＴＡＩ＃１」を含み且つ「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ」を受信するように構成されている受信部１１と、「ＴＡＩ＃１」に対応するゲートウェイ装置ＨｅＮＢ-ＧＷ＃１に対して、宛先情報として「ＨｅＮＢ＃１」を含み且つ「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信するように構成されている送信部１３とを具備することを要旨とする。
【００６７】
本実施形態の第４の特徴は、ゲートウェイ装置ＨｅＮＢ-ＧＷ＃１に収容されている無線基地局ＨｅＮＢ＃１に対して「ＬＰＰａメッセージ」を提供するように構成されている移動通信システムで用いられる移動管理ノードＭＭＥであって、位置情報提供サーバＥ-ＳＭＬＣから、宛先情報として「ＨｅＮＢ＃１」を含み且つ「ＬＰＰａメッセージ」を含む「（ＬＣＳ-ＡＰ）Ｃｏｎｎｅｃｔｉｏｎｌｅｓｓ  Ｉｎｆｏｒｍａｔｉｏｎ」を受信するように構成されている受信部１１と、「ＨｅＮＢ＃１」に対応する「ＴＡＩ＃１」を取得し、「ＴＡＩ＃１」に対応するゲートウェイ装置ＨｅＮＢ-ＧＷ＃１に対して、宛先情報として「ＨｅＮＢ＃１」を含み且つ「ＬＰＰａメッセージ」を含む「（Ｓ１-ＡＰ）ＤＬ  Ｎｏｎ  ＵＥ  Ａｓｓｏｃｉａｔｅｄ  ＬＰＰａ  Ｔｒａｎｓｐｏｒｔ」を送信するように構成されている送信部１３とを具備することを要旨とする。
【００６８】
本実施形態の第３及び第４の特徴において、受信部１１は、ゲートウェイ装置ＨｅＮＢ-ＧＷ＃１から、「ＴＡＩ＃１」を取得するように構成されており、取得した「ＴＡＩ＃１」とゲートウェイ装置ＨｅＮＢ-ＧＷ＃１とを対応付けて管理するように構成されている管理部１２を更に具備してもよい。
【００６９】
なお、上述の位置情報提供サーバＥ-ＳＭＬＣや移動管理ノードＭＭＥやゲートウェイ装置ＨｅＮＢ-ＧＷ＃１や無線基地局ＨｅＮＢ＃１/ＨｅＮＢ＃１０/ｅＮＢ＃１００や移動局ＵＥの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、位置情報提供サーバＥ-ＳＭＬＣや移動管理ノードＭＭＥやゲートウェイ装置ＨｅＮＢ-ＧＷ＃１や無線基地局ＨｅＮＢ＃１/ＨｅＮＢ＃１０/ｅＮＢ＃１００や移動局ＵＥ内に設けられていてもよい。また、かかる記憶媒体及びプロセッサは、ディスクリートコンポーネントとして位置情報提供サーバＥ-ＳＭＬＣや移動管理ノードＭＭＥやゲートウェイ装置ＨｅＮＢ-ＧＷ＃１や無線基地局ＨｅＮＢ＃１/ＨｅＮＢ＃１０/ｅＮＢ＃１００や移動局ＵＥ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７３】
ＵＥ…移動局
Ｅ-ＳＭＬＣ…位置情報提供サーバ
ＭＭＥ…移動管理ノード
ＨｅＮＢ-ＧＷ…ゲートウェイ装置
ＨｅＮＢ＃１、ＨｅＮＢ＃１０、ｅＮＢ＃１００…無線基地局
１１…受信部
１２…管理部
１３…送信部
【図１】
2012044286.tif 000003
【図２】
2012044286.tif 000004
【図３】
2012044286.tif 000005
【図４】
2012044286.tif 000006
【図５】
2012044286.tif 000007
【図６】
2012044286.tif 000008
【図７】
2012044286.tif 000009
【図８】
2012044286.tif 000010